(57)【要約】【課題】載置面Ｇの傾斜角度に応じて自在に角度調整することができ、しかも、強度的にも優れた束を提供する。【解決手段】本発明は、所定の厚みで球面状に突出する凸部２を有し、該凸部２の中心にて内外を貫通する通孔３が形成される基台１と、大引や根太といった横架材を載置するための載置部１０が上方に設けられ、下方が通孔３に遊挿される支柱６とを備える束であって、支柱６は、基台１の凸部２の外面が内接する第１の座金１９と、該凸部２の内面に内接する第２の座金２２と、該凸部２を第１の座金１９と第２の座金２２とで挟持することにより、支柱６を基台１に締め付け固定するための締結手段とを備える。【選択図】図３
2009062757.tif 000002
【特許請求の範囲】
【請求項１】
所定の厚みで球面状に突出する凸部（２）を有し、該凸部（２）の中心にて内外を貫通する通孔（３）が形成される基台（１）と、大引や根太といった横架材を載置するための載置部（１０）が上方に設けられ、下方が通孔（３）に遊挿される支柱（６）とを備える束であって、支柱（６）は、基台（１）の凸部（２）の外面が内接する第１の座金（１９）と、該凸部（２）の内面に内接する第２の座金（２２）と、該凸部（２）を第１の座金（１９）と第２の座金（２２）とで挟持することにより、支柱（６）を基台（１）に締め付け固定するための締結手段とを備えることを特徴とする束。
【請求項２】
第１の座金（１９）は、支柱（６）に挿通される環状の平面部（２０）と、該平面部（２０）の周縁からテーパ状に垂下するテーパ部（２１）とからなる円錐台形状を有し、バネ性を有する請求項１に記載の束。
【発明の詳細な説明】
【技術分野】
【０００１】
本発明は、大引や根太といった横架材を支持するための束であって、その載置面が傾斜しているとしても、横架材を適正な姿勢（通常は水平）に支持することができる機能を有するものに関する。
【背景技術】
【０００２】
戸建て住宅にあっては、ベタ基礎であれば、水平に施工されたコンクリート面に束を載置するようにし、また、布基礎であれば、上面が水平となるように束石を地面に載置し、その上面に束を載置するようにしているから、特に問題は生じにくいが、例えば近年流行のウッドデッキにあっては、束の載置面として水平が確保できない場合がある。
【０００３】
そのような場合に適した束としては、図４に示すようなものが知られている（特許文献１）。かかる束は、ドーム形状の基台５１と、ネジ軸５２と、該ネジ軸５２に設けられた支持プレート５３と、基台５１の上面に形成され、ネジ軸５２が隙間を空けて挿入される丸穴５４と、該丸穴５４に挿入されたネジ軸５２に基台５１の上面側から螺合してネジ軸５２を基台５１に支持させる締付ナット５５と、ネジ軸５２に嵌められ、上面が締付ナット５５と当接し、傾斜した底面が基台５１の上面に当接する座金５６と、基台５１の丸穴５４から挿通されたネジ軸５２に螺合するナット５７とを備えるものであり、傾斜した載置面Ｇであっても、根太Ｎ及びその上に載置される床材Ｙを水平に支持することができるとされている。
【特許文献１】特許第３８０６１１２号公報
【発明の開示】
【発明が解決しようとする課題】
【０００４】
しかしながら、上記特許文献１記載の束は、座金５６の底面の傾斜角度を異なるものにわざわざ変更しなければ、基台５１の傾斜角度を変更することができないという問題がある。ということで、上記特許文献１記載の束は、載置面Ｇの傾斜角度に応じてわざわざ座金５６を取り替えなければならず、また、載置面Ｇの傾斜角度に応じて底面の傾斜角度が異なる各種の座金５６を用意しておかなければならないという問題がある。
【０００５】
このような問題は、わざわざ座金５６を取り替えるようなことをしなければ問題とならないが、そうすると、座金５６の底面の傾斜角度と載置面Ｇの傾斜角度が一致しない場合、座金５６が基台５１の外面と片当たりするため、偏荷重がかかったり、基台５１の外面に傷が入る等、強度面で好ましくない事態が起こり得る。この問題は、ナット５７についても然りである。傾斜した載置面Ｇの場合、ナット５７は、常時、基台５１の内面と片当たりしているので、やはり、偏荷重がかかったり、基台５１の内面に傷が入る等、強度面で好ましくない事態が起こり得る。
【０００６】
そこで、本発明は、上記問題に鑑みてなされたもので、載置面の傾斜角度に応じて自在に角度調整することができ、しかも、強度的にも優れた束を提供することを課題とする。
【課題を解決するための手段】
【０００７】
本発明は、上記課題を解決するためのもので、所定の厚みで球面状に突出する凸部２を有し、該凸部２の中心にて内外を貫通する通孔３が形成される基台１と、大引や根太といった横架材を載置するための載置部１０が上方に設けられ、下方が通孔３に遊挿される支柱６とを備える束であって、支柱６は、基台１の凸部２の外面が内接する第１の座金１９と、該凸部２の内面に内接する第２の座金２２と、該凸部２を第１の座金１９と第２の座金２２とで挟持することにより、支柱６を基台１に締め付け固定するための締結手段とを備えることを特徴とする。
【０００８】
かかる構成によれば、第１及び第２の座金１９，２２の、基台１の凸部２に対する位置を（例えば摺動によって）変えるだけで、自在に角度調整することができ、また、第１の座金１９は、載置面Ｇの傾斜角度に関わらず、基台１の凸部２の外面と環状に当接し、大引や根太といった横架材から支柱６を介して受ける荷重は、第１の座金１９で均一に分散されて基台１（の凸部２）に伝達されるため、強度的に優れたものとなる。
【０００９】
また、本発明は、第１の座金１９は、支柱６に挿通される環状の平面部２０と、該平面部２０の周縁からテーパ状に垂下するテーパ部２１とからなる円錐台形状を有し、バネ性を有する構成を採用することができる。
【００１０】
かかる構成によれば、締め付けに伴い、テーパ部２１が拡開するように撓んで、基台１の凸部２の外面との接触面積が増えるようになる。従って、横架材から支柱６を介して受ける荷重は、第１の座金１９でより均一に分散されて基台１（の凸部２）に伝達されるため、より強度的に優れたものとなる。
【発明の効果】
【００１１】
以上の如く、本発明によれば、載置面の傾斜角度に応じて自在に角度調整することができ、しかも、強度的にも優れた束を提供することができる。
【発明を実施するための最良の形態】
【００１２】
以下、本発明に係る束の一実施形態として、ウッドデッキ用の鋼製束について、図１〜図３を参酌しつつ説明する。
【００１３】
本実施形態に係るウッドデッキ用の鋼製束は、所定の厚みで球面状に突出する凸部２を有し、該凸部２の中心にて内外を貫通する通孔３が形成される基台１と、横架材（図示しない）を載置するための載置部１０が上方に設けられ、下方が通孔３に遊挿される支柱６とを備え、基台１に対して支柱６が傾斜可能に構成されている。
【００１４】
基台１は、ＳＰＨＣ（熱間圧延軟鋼板）であり、矩形状を呈し、プレス加工により凸部２を形成するようにしている。そのため、凸部２の厚みは、基台１のその他の部分（平面部４）と略同じ厚みとなっている。また、ネジ、ビス、コンクリート釘等で載置面Ｇに固定すべく、これらのものを通すための通孔５が平面部４の適所に複数形成されている。
【００１５】
凸部２の中心に形成された通孔３は、支柱６よりも大径の円孔となっており、このため、支柱６は、揺動可能にして通孔３に遊挿される。また、通孔３は、凸部２の曲率中心を中心として、約２０°の角度範囲でテーパ状に形成されており、従って、支柱６は、基台１に対して約２０°の角度範囲で揺動可能であり、そのため、施工時、支柱６が垂直となるようにすることを前提とすると、基台１は、載置面Ｇの傾斜角度が１０°まで対応可能となっている。
【００１６】
支柱６は、一端に頭部８を有し、それ以外は全長に亘ってネジ部９となっているボルト７によって柱が構成される。該ボルト７は、ＳＷＣＨ（冷間圧造用炭素鋼線）であり、頭部８を下方にして、基台１の通孔３に下方から上方に向けて挿通される。従って、ボルト７の頭部８は、基台１の凸部２の内部空間に収容され、また、頭部８は、凸部２の通孔３よりも大径であるため、ボルト７は、基台１に対する上方への抜け止めがなされている。
【００１７】
載置部１０は、受け部材１１と、該受け部材１１の下面に取り付けられ、ボルト７のネジ部９に螺合するナット１６とを備える。受け部材１１は、基台１と同様、ＳＰＨＣ（熱間圧延軟鋼板）であり、矩形状を呈し、プレス加工により略Ｌ字状に屈曲されている。そのため、受け部材１１は、横架材の下面に当接する水平片１２と、横架材の側面に当接する垂直片１３とからなる。また、水平片１２や垂直片１３には、載置された横架材を固定すべく、ネジ、ビス、釘等を通すための通孔１５が適所に複数形成されている。
【００１８】
ナット１６は、ボルト７と同様、ＳＷＣＨ（冷間圧造用炭素鋼線）であり、受け部材１１の水平片１２の下面に溶接によって固定され、ナット１６を回してボルト７の長手方向に対する位置を変更することにより、載置部１０の高さ位置を変更することができる。尚、載置部１０を低くする際、ボルト７と受け部材１１とが干渉しないよう、受け部材１１（の水平片１２）には、ボルト７を挿通可能とする通孔１４が形成されている。
【００１９】
また、載置部１０は、受け部材１１のうち、横架材と接する部分にゴムシート１７を備える。具体的には、ゴムシート１７が受け部材１１の水平片１２の上面及び垂直片１３の内面に跨って付設され、横架材と受け部材１１との間にゴムシート１７が介在するようにしている。
【００２０】
本実施形態に係るウッドデッキ用の鋼製束は、以上のように、基台１と、支柱６とを主たる構成要素とするが、特徴的なことは、非平面状からなり、凹部を備えて基台１の凸部２の一部を収容可能な座金（第１の座金）１９と、同じく非平面状からなり、凸部を備えて凸部２内に収容される環状の座金（第２の座金）２０と、第１の座金１９と第２の座金２２とで凸部２を挟持することにより、支柱６を基台１に締め付け固定するための締結手段とを支柱６が備えることである。
【００２１】
第１の座金１９は、ボルト７のうち、基台１の凸部２から突出している部分に挿通される。第１の座金１９は、環状の平面部２０と、該平面部２０の周縁からテーパ状に垂下するテーパ部２１とからなる円錐台形状を有し、凸部２の一部に覆い被さり、平面部２０の内面と凸部２の外面とは接触せずに、テーパ部２１の内面と凸部２の外面とが当接するようになっている。しかも、テーパ部２１は、凸部２の接線と略一致する角度設定となっているため、第１の座金１９の内面に凸部２の外面が内接する（言い換えれば、凸部２の外面に第１の座金１９の内面が外接する）格好となる。
【００２２】
また、第１の座金１９は、ＳＰＨＣ（冷間圧延鋼板）であり、板厚が基台１よりも薄く（本実施形態においては、１．２ｍｍであるが、０．８〜１．５ｍｍであればよい）なっており、バネ性を有して、一種の皿バネ（バネ座金）を構成する。
【００２３】
第２の座金２２は、ボルト７のうち、基台１の凸部２内に挿通された部分に挿通される。第２の座金２２は、凸部２と同様、球面状であり、曲率半径が凸部２よりも僅かに小さいことから、凸部２の内面に第２の座金２２の外面が内接する（言い換えれば、第２の座金２２の外面に凸部２の内面が外接する）格好となる。
【００２４】
また、第２の座金２２は、第１の座金１９と同様、ＳＰＨＣ（冷間圧延鋼板）であり、板厚が基台１よりも薄く（本実施形態においては、１．２ｍｍであるが、０．８〜１．５ｍｍであればよい）なっている。
【００２５】
第１及び第２の座金１９，２２は、ともに凸部２の通孔３よりも大径であり、従って、第１の座金１９は、下方への移動が規制され、第２の座金２２は、基台１に対する上方への抜け止めがなされている。加えて、第２の座金２２は、ボルト７の頭部８よりも大径であり、従って、ボルト７は、第２の座金２２に対する上方への抜け止めがなされている。
【００２６】
締結手段は、ボルト７（より詳しくは、頭部８及びネジ部９）と、該ボルト７のネジ部９に螺合する締付ナット１８とによって構成される。締付ナット１８は、ナット１６と同様、ＳＷＣＨ（冷間圧造用炭素鋼線）であり、ボルト７のネジ部９のうち、基台１の凸部２から突出している部分に螺合する。
【００２７】
また、締付ナット１８は、第１の座金１９の平面部２０と同じ程度の大きさであり、従って、締付ナット１８をねじ込んで、下方側に移動させると、第１の座金１９の平面部２０に着座する。
【００２８】
このように、第１の座金１９は、締付ナット１８と基台１の凸部２との間に介在し、第２の座金２２は、凸部２とボルト７の頭部８との間に介在し、締付ナット１８をボルト７の頭部８側に向けて締め付けていくと、第１の座金１９と第２の座金２２とが凸部２を内外から挟持し、支柱６が基台１に締め付け固定されるようになっている。
【００２９】
本実施形態に係るウッドデッキ用の鋼製束は、載置面Ｇが通常は水平である場合が多いことから、出荷時は、図２に示すような直立姿勢とされて、支柱６が基台１に締め付け固定されている。また、このような姿勢が恒久的に維持されるよう、図示はしないが、第１の座金１９から基台１の凸部２にかけて（あるいは、凸部２を貫通してさらに第２の座金２２に至るまで）、若しくは、第２の座金２２から凸部２にかけて（あるいは、凸部２を貫通してさらに第１の座金１９に至るまで）、ネジやビス等の固定手段が打ち込まれ、第１の座金１９や第２の座金２２と凸部２との相対変位を規制し、それにより、基台１に対する支柱６の傾動を規制するものである。
【００３０】
しかしながら、図３に示すような、載置面Ｇが傾斜している場合には、基台１を載置面Ｇに合わせて傾斜させなければならない。その場合は、まず、締付ナット１８を一旦緩め、基台１と支柱６との固定状態を解除する。その上で、支柱６に対して基台１の傾斜角度を載置面Ｇの傾斜角度に応じて変更し（別の言い方をすれば、基台１に対して支柱６の傾斜角度を載置面Ｇの傾斜角度に応じて変更し）、その状態で、締付ナット１８を再度締め付け、再び支柱６を基台１に締め付け固定する。
【００３１】
このとき（図２に示すような直立姿勢とすべく、支柱６を基台１に締め付け固定するときもそうであるが）、第１の座金１９は、締付ナット１８から受ける締付力に伴い、テーパ部２１が拡開するように撓んで、基台１の凸部２の外面との接触面積が増えるようになる。即ち、第１の座金１９と凸部２とは環状に当接するが、その環状面積が増えるようになる。従って、大引や根太といった横架材から支柱６を介して受ける荷重は、第１の座金１９でより均一に分散されて基台１（の凸部２）に伝達されるため、より強度的に優れたものとなる。
【００３２】
尚、図３に示すような、傾斜した載置面Ｇに合わせて角度調整した後、その姿勢を恒久的に維持するために、図２に示すような直立姿勢と同様、ネジやビス等の固定手段を用いて、第１の座金１９や第２の座金２２と凸部２との相対変位を規制し、それにより、基台１に対する支柱６の傾動を規制するようにしてもよい。
【００３３】
以上のように、本実施形態に係るウッドデッキ用の鋼製束によれば、載置面Ｇの傾斜角度に応じて自在に角度調整することができる。しかも、従来のように、座金やナットが基台に片当たりすることもないので、偏荷重がかかったり、基台１の凸部２の外面や内面に傷が入る等、強度面で好ましくない事態も起こらず、強度的にも優れたものとなる。
【００３４】
尚、本発明に係る束は、上記実施形態に限定されるものではなく、本発明の要旨を逸脱しない範囲で種々の変更が可能である。
【００３５】
例えば、上記実施形態においては、ウッドデッキ用としての束について説明したが、本発明は、広く一般的な束にも適用可能である。また、鋼製ではなく、樹脂製であってもよいし、その材質は、特に限定されない。
【００３６】
また、上記実施形態においては、一端に頭部８を備えるボルト７を使用したが、頭部のないボルトを用い、一対のナットで基台１に固定するようにしてもよい。あるいは、締付ナット１８の代わりに、中間部に頭部を有するボルトを用いてもよい。
【００３７】
また、上記実施形態においては、ボルト７に対して載置部１０が相対的に上下することにより、載置部１０の高さ位置を調整するようにしているが、載置部１０は支柱６に固定される代わりに、支柱６が基台１に対して上下することにより、載置部１０の高さ位置を調整するようにしてもよい。
【００３８】
また、上記実施形態においては、第１の座金１９を円錐台形状にしたが、第２の座金２２と同様、球面状に形成し、第１の座金の内面が全体的に基台１の凸部２の外面と当接するようにしてもよい。逆に、第２の座金２２を全体的に球面状とせず、ボルト７の頭部８にかかる部分は、第１の座金１９の平面部２０と同様、平面状にしてもよい。
【００３９】
また、上記実施形態においては、受け部材１１を略Ｌ字状にしたが、水平片１２のみの平坦な構造であってもよい。
【００４０】
また、上記実施形態においては、ボルト７は、頭部８を除く、全長に亘ってネジ部９が形成されたものを用いたが、これに限定されず、少なくとも必要な箇所にのみ、ネジ部が形成されていればよい。
【００４１】
また、上記実施形態においては、第１の座金１９及び第２の座金２２が支柱６とは別部材で構成されているが、第１の座金１９及び／又は第２の座金２２が支柱６と一体的に構成されるようにしてもよい。
【００４２】
また、上記実施形態においては、第１の座金１９及び第２の座金２２は、円周方向に連続した面を有するが、一定間隔で切り欠きが形成される形態であってもよい。
【図面の簡単な説明】
【００４３】
【図１】本実施形態に係る束の外観斜視図を示す。
【図２】同実施形態に係る束であって、直立姿勢の場合の縦断面図を示す。
【図３】同実施形態に係る束であって、傾斜姿勢の場合の縦断面図を示す。
【図４】従来の束であって、傾斜姿勢の場合の縦断面図を示す。
【符号の説明】
【００４４】
１…基台、２…凸部、３…通孔、４…平面部、５…通孔、６…支柱、７…ボルト、８…頭部、９…ネジ部、１０…載置部、１１…受け部材、１２…水平片、１３…垂直片、１４…通孔、１５…通孔、１６…ナット、１７…ゴムシート、１８…締付ナット、１９…第１の座金、２０…平面部、２１…テーパ部、２２…第２の座金、Ｇ…載置面
【図１】
2009062757.tif 000003
【図２】
2009062757.tif 000004
【図３】
2009062757.tif 000005
【図４】
2009062757.tif 000006